(57)【要約】【課題】昼夜を問わずに装飾効果を奏することができると共に、高い環境意識を喚起することのできる自動車の装飾装置を提供する。【解決手段】テールパイプ１００に本装飾装置を装着するための固定ベルト１、フレーム２、フレーム２を固定ベルト１に対して支持する腕部３、フレーム２に回転可能に軸支された風車４、風車４と共に回転する装飾体５、二酸化炭素センサ６、フレーム２に固定された制御装置７、フレーム２に固定された複数のＬＥＤ８とを設ける。制御装置７は、定期的に二酸化炭素センサ６の出力より二酸化炭素濃度レベルを算出し、算出した二酸化炭素濃度レベルに応じて、複数のＬＥＤ８の点灯パターンを制御する。【選択図】図１
2005247251.tif 000002
【特許請求の範囲】
【請求項１】
自動車の排気管の排気口側端部に装着される装飾装置であって、
前記排気管から排気される排気ガスによって回転する風車と、
前記風車の回転に伴って回転する装飾体と、
前記排気管から排気される排気ガス中の二酸化炭素濃度を検出する二酸化炭素センサと、
表示器と
前記二酸化炭素センサが検出した二酸化炭素濃度に応じた形態で、前記表示器を点灯させる表示制御部とを有することを特徴とする自動車用の装飾装置。
【請求項２】
請求項１記載の自動車用の装飾装置であって、
前記風車の回転によって発電する発電機を備え、
前記二酸化炭素センサと前記表示器と前記表示制御部とは、前記発電機が発電した電力を用いて稼働することを特徴とする自動車の装飾装置。
【請求項３】
請求項１記載の自動車用の装飾装置であって、
太陽光発電を行う太陽電池を備え、
前記二酸化炭素センサと前記表示器と前記表示制御部とは、前記太陽電池が発電した電力を用いて稼働することを特徴とする自動車の装飾装置。
【発明の詳細な説明】
【技術分野】
【０００１】
本発明は、自動車を装飾する装飾装置に関するものである。
【背景技術】
【０００２】
自動車を装飾する装飾装置としては、排気管のテールパイプに、光を放出するイルミネーションを設けて、光による優美な装飾効果を計らんとした技術が知られている（たとえば、特許文献１）。また、この技術では、このような装飾効果と併せて、イルミネーションにより、自動車の排気ガス排出口の所在と、その排出口からの排気ガスの放出を周囲にアピールして、環境に配慮した自動車の使用や運転を行う意識を喚起することも企図している。
【特許文献１】実開平６−２０１４５号公報
【発明の開示】
【発明が解決しようとする課題】
【０００３】
前記特許文献１記載の技術によれば、イルミネーションを装飾に用いているために、夜間しか装飾効果を得ることができない。また、排気ガス排出口の所在をアピールするのみでは、充分に環境に配慮した自動車の使用や運転を行う意識を喚起することは期待できない。
【０００４】
そこで、本発明は、昼夜を問わずに装飾効果を奏することができると共に、高い環境意識を喚起することのできる自動車の装飾装置を提供することを課題する。
【課題を解決するための手段】
【０００５】
前記課題達成のために、本発明は、自動車の排気管の排気口側端部に装着される装飾装置として、前記排気管から排気される排気ガスによって回転する風車と、前記風車の回転に伴って回転する装飾体と、前記排気管から排気される排気ガス中の二酸化炭素濃度を検出する二酸化炭素センサと、表示器と前記二酸化炭素センサが検出した二酸化炭素濃度に応じた形態で、前記表示器を点灯させる表示制御部とを備えた自動車用の装飾装置を提供するものである。
【０００６】
このような装飾装置によれば、排気ガスによって風車と共に回転する装飾体によって、昼夜を問わず多様でおもしろみのある装飾効果を実現することができる。また、排気ガス中の二酸化炭素濃度に応じた形態で表示器の表示を制御することにより、表示器の表示による装飾効果を実現すると共に、当該表示から運転者が自車の排出二酸化炭素濃度レベルを容易に知ることができるようにすることができる。そして、これによって、運転者の自車の排出二酸化炭素濃度へ関心を高めると共に、運転者を、より環境に考慮した車両の取り扱いを心がけるよう誘導することができる。
【０００７】
ここで、このような自動車用の装飾装置には、さらに、前記風車の回転によって発電する発電機を備え、前記二酸化炭素センサと前記表示器と前記表示制御部は、前記発電機が発電した電力を用いて稼働するようにしてもよい。このようにすることにより、風車を装飾と発電に共用することができるようになり、本装飾装置を、蓄電池の交換などを行うことなく恒久的に稼働させることが可能となる。
または、このような自動車用の装飾装置に、さらに、太陽光発電を行う太陽電池を備え、前記二酸化炭素センサと前記表示器と前記表示制御部は、前記太陽電池が発電した電力を用いて稼働するようにしてもよい。このようにしても本装飾装置を、蓄電池の交換などを行うことなく恒久的に稼働させることが可能となる。
【発明の効果】
【０００８】
以上のように本発明によれば、昼夜を問わずに装飾効果を奏することができると共に、高い環境意識を喚起することのできる自動車の装飾装置を提供することができる。
【発明を実施するための最良の形態】
【０００９】
以下、本発明の実施形態について説明する。
図１ａに装飾装置の側面を、図１ｂに装飾装置の正面を、図１ｃに装飾装置の斜視図を示す。ただし、図１ａでは、装飾装置を自動車の排気管のテールパイプに装着したところを示している。また、装飾装置を自動車の排気管のテールパイプに装着した状態で車両の後方より見た場合に正面となる側を、装飾装置の正面としている。
【００１０】
さて、図示するように、本装飾装置は、テールパイプ１００に本装飾装置を装着するための固定ベルト１、フレーム２、フレーム２を固定ベルト１に対して支持する腕部３、フレーム２に回転可能に軸支された風車４、キャラクター図形その他の装飾が施された装飾体５、二酸化炭素センサ６、フレーム２に固定された制御装置７、フレーム２に固定された複数のＬＥＤ８とを有する。なお、フレーム２や風車４とテールパイプ１００の排気口との距離は、装飾装置が実用上排気の妨げにならない程度に大きくとる。また、図示するように装飾体５を部分的にメッシュで形成するなどの手法により、装飾体５を、通気性を持たせて構成するようにすることも好ましい。
【００１１】
ここで、図１ｄの組み立て図と図１ｅの透視図に示すように、装飾体５と風車４とは、風車４の回転軸４１の両端に固定されている。また、この風車４の回転軸は、フレーム２の軸受孔２１によって軸支されている。したがって、装飾体５は、風車４と共に回転する。
【００１２】
次に、図２ａに、本装飾装置の電気系統の構成を示す。
図示するように、制御装置７は、バッテリ７１と、バッテリ７１からの電力供給を受けて稼働するコントローラ７２と、バッテリ７１からの電力供給を受けて稼働するＬＥＤドライバ７３とより構成される。また、二酸化炭素センサ６も、このバッテリ７１からの電力供給を受けて稼働する。なお、二酸化炭素センサ６としては、たとえば、特定波長の赤外光が二酸化炭素ガス分子に吸収されることを利用して二酸化炭素濃度を測定する赤外線方式の二酸化炭素センサを用いることができる。
【００１３】
このような構成において、コントローラ７２は、定期的に二酸化炭素センサ６の出力より二酸化炭素濃度レベルを算出し、算出した二酸化炭素濃度レベルに応じて、ＬＥＤドライバ７３を制御して、複数のＬＥＤ８の点灯パターンを制御する。すなわち、たとえば、図示した例のように６つのＬＥＤ８を用いる場合には、二酸化炭素濃度レベルの範囲を１から６までの６つのレンジに分割し、算出した二酸化炭素濃度レベルが低い方からｉ（ｉは１以上６以下の整数）番目のレンジ内のレベルであれば、１番目のＬＥＤ８からｉ番目のＬＥＤ８までのＬＥＤ８を点灯するようにする。なお、ＬＥＤ８の発行色は、たとえば、１番目のＬＥＤ８から順に緑、緑、黄色、黄色、赤、赤とするようにする。
【００１４】
このようにすることにより、複数のＬＥＤ８を用いた二酸化炭素レベルメータが形成される。
以上、本実施形態に係る装飾装置について説明した。
このような装飾装置によれば、車両の走行中、車両の後方からは、図３ａに示すように、排気口位置に装飾体５と複数のＬＥＤ８が視認される。そして、この装飾体５は、図３ｂ、ｃ、ｄに示すように排気ガスの排気の強弱に応じた回転速度で回転し、ユニークで印象的な装飾効果を視認者に与える。また、この装飾効果は、後方に駐車した車両の運転手は、夜間でも自車のヘッドライトによる照明下で認知することができる。なお、この夜間の装飾体５の視認性を高めるために、装飾体５を発光性や反射性や蛍光性を有する装飾体５として構成するようにしてもよいし、装飾体５を照し出すための照明をフレーム２上に設けるようにしてもよい。
【００１５】
次に、本実施形態における装飾装置の複数のＬＥＤ８は、図３ｂ、ｃ、ｄに示すように車両の排気する排気ガスの二酸化炭素濃度レベルに応じたパターンで点灯して、ユニークな装飾効果を視認者に与えると共に、視認者の自己の車両の二酸化炭素ガス排気に対する関心を励起する。一方、装飾装置を装着した二酸化炭素ガス排出レベルの低い車両の運転者は、これにより自身の環境への配慮を誇示することができ、よりいっそう、二酸化炭素ガス排出レベルの低減に取り組もうとする意欲が喚起される。また、装飾装置を装着した二酸化炭素ガス排出レベルの低い車両の運転者に対しては、自車の環境性能の低さを認知させることにより、二酸化炭素ガス排出レベルについての意識や努力をもっとはらうよう誘導することができる。
【００１６】
以上のように、本実施形態によれば、昼夜を問わずに装飾効果を奏することができると共に、高い環境意識を喚起することのできる自動車の装飾装置を提供することができる。
ところで、以上の実施形態では、制御装置７にバッテリ７１を設けたが、これは図２ｂに示すように風車４の回転により発電する発電機９を設けると共に、制御装置７に、発電機９が発電した電力を蓄積、安定化して各部に供給する電源装置７４を設けるようにしてもよい。このようにすることにより、バッテリ交換の必要を排除することができる。
または、このような発電機９に代えて、太陽光発電を行う太陽電池（ソーラーパネル）を、フレーム上部などに備えたり、ベルチェ素子などの熱電交換を行う熱電素子を排気管に固着して備えるようにし、これらの発電する電力を電源装置７４において蓄積、安定化して各部に供給するようにしてもよい。このようにしても、同様にバッテリ交換の必要を排除することができる。
【００１７】
また、以上の実施形態では、装飾体５を排気口直後に配置したが、図３ｅに示すように装飾体５と風車４をフレキシブルシャフト１０で連結して、風車４からの動力をフレキシブルシャフト１０を介して装飾体５に伝達することなどの手法を用いて、装飾体５の位置を図３ｆに示すようなリアバンパー上部などの、排気口直後以外の位置に配置するようにしてもよい。
また、以上の実施形態では、二酸化炭素レベルの表示にＬＥＤを用いたが、この表示にはＬＥＤ以外の表示器を用いるようにしてもかまわない。また、その表示パターンも、二酸化炭素濃度レベルに応じて変化するものであれば、任意でよい。
【図面の簡単な説明】
【００１８】
【図１】本発明の実施形態に係る装飾装置の構成を示す図である。
【図２】本発明の実施形態に係る装飾装置の電気系統の構成を示すブロック図図である。
【図３】本発明の実施形態に係る装飾装置の装飾効果を示す図である。
【符号の説明】
【００１９】
１…固定ベルト、２…フレーム、３…腕部、４…風車、５…装飾体、６…二酸化炭素センサ、７…制御装置、８…ＬＥＤ、９…発電機、１０…フレキシブルシャフト、７１…バッテリ、７２…コントローラ、７３…ＬＥＤドライバ、７４…電源装置、１００…テールパイプ。
【図１】
2005247251.tif 000003
【図２】
2005247251.tif 000004
【図３】
2005247251.tif 000005